【手続補正書】
【提出日】平成21年8月19日(2009.8.19)
【手続補正１】
【補正対象書類名】特許請求の範囲
【補正対象項目名】全文
【補正方法】変更
【補正の内容】
【特許請求の範囲】
【請求項１】
第１の装置の物理的近傍にある第２の装置によって提供されるサービスを、前記第１の装置と前記第２の装置との間で接続を確立する前に前記第１の装置によって発見する方法であって、
複数のサービス情報要素を含む第１の８０２．１１ｘレイヤ２無線宣伝メッセージを受信するステップであって、前記サービス情報要素のうちの少なくとも第１のサービス情報要素は、前記第２の装置によって提供される第１のサービスに関係する情報を含み、前記サービス情報要素のうちの第２のサービス情報要素は、前記第２の装置によって提供される第２のサービスに関係する情報を含み、前記第１のサービスと前記第２のサービスは相違し、前記第１のサービス情報要素と前記第２のサービス情報要素とのうちの少なくとも一部は短縮され、前記第１のメッセージが、前記第１の装置と、前記第１のサービス及び前記第２のサービスを提供するのに適した前記第２の装置との間に接続を確立する前に受信されるステップと、
受信された前記宣伝メッセージから、少なくとも、短縮された前記第１のサービス情報要素と前記第２のサービス情報要素とを抽出するステップと、
前記第１のサービスに関係する追加の情報が必要であることを決定するステップと、
前記第１のサービスに関係する追加の情報に対する要求メッセージを前記第２の装置に送出するステップと、
前記第１のサービスに関係する追加の情報を含む第２のメッセージを前記第２の装置から受信するステップと、
前記第１のサービスが所望のものであるかどうかを決定するステップと、
前記第１のサービスが所望のものであるならば、前記第１の装置と前記第２の装置との間の接続を確立するステップと、
を備える方法。
【請求項２】
前記無線宣伝メッセージが、前記第１の装置によって又は前記第１の装置と通信する装置によって受信される、請求項１に記載の方法。
【請求項３】
前記第１の装置のユーザに対して、人間感知可能媒体上で、前記第２の装置によって提供される前記第１のサービス及び前記第２のサービスに関係する情報を提供するステップを更に備える、請求項１に記載の方法。
【請求項４】
前記第１の装置の近傍が該第１の装置の無線距離によって少なくとも部分的に規定される、請求項１に記載の方法。
【請求項５】
前記第２の装置が前記第１の装置の近傍内にあるかどうかを決定するステップを更に備え、前記第１の装置の近傍が、前記第１の装置の無線距離によって規定される領域よりも小さい領域に制限され、前記第２の装置が前記第１の装置の近傍内にあるならば接続を確立する、請求項１に記載の方法。
【請求項６】
前記無線宣伝メッセージが８０２．１１ビーコン・メッセージを含む、請求項１に記載の方法。
【請求項７】
コンピュータ読み取り可能媒体であって、
第１の装置によって、該第１の装置の近傍にある第２の装置から、複数のサービス情報要素を含む第１の８０２．１１ｘレイヤ２無線宣伝メッセージを受信するステップであって、前記サービス情報要素のうちの少なくとも第１のサービス情報要素は、前記第２の装置によって提供される第１のサービスに関係する情報を含み、前記サービス情報要素のうちの第２のサービス情報要素は、前記第２の装置によって提供される第２のサービスに関係する情報を含み、前記第１のサービスと前記第２のサービスは相違し、前記第１のサービス情報要素と前記第２のサービス情報要素とのうちの少なくとも一部は短縮され、前記第１のメッセージが、前記第１の装置と、前記第１のサービス及び前記第２のサービスを提供するのに適した前記第２の装置との間に接続を確立する前に受信されるステップと、
受信された前記宣伝メッセージから、少なくとも、短縮された前記第１のサービス情報要素と前記第２のサービス情報要素とを抽出するステップと、
前記第１のサービスに関係する追加の情報が必要であることを決定するステップと、
前記第１のサービスに関係する追加の情報に対する要求メッセージを前記第２の装置に送出するステップと、
前記第１のサービスに関係する追加の情報を含む第２のメッセージを前記第２の装置から受信するステップと、
前記第１のサービスが所望のものであるかどうかを決定するステップと、
前記第１のサービスが所望のものであるならば、前記第１の装置と前記第２の装置との間の接続を確立するステップと、
を実行するためのコンピュータ実行可能命令を記憶したコンピュータ読み取り可能媒体。
【請求項８】
前記無線宣伝メッセージが、前記第１の装置によって又は該第１の装置と通信する装置によって受信される、請求項７に記載のコンピュータ読み取り可能媒体。
【請求項９】
前記第１の装置のユーザに対して、人間感知可能媒体上で、前記第２の装置によって提供される要求されたサービスに関係する情報を提供するステップを更に備える、請求項７に記載のコンピュータ読み取り可能媒体。
【請求項１０】
前記第１の装置の近傍が、前記第１の装置の無線距離によって少なくとも部分的に規定される、請求項７に記載のコンピュータ読み取り可能媒体。
【請求項１１】
前記第２の装置が前記第１の装置の近傍内にあるかどうかを決定するステップを更に備え、前記第１の装置の近傍が、前記第１の装置の無線距離によって規定される領域よりも小さい領域に制限され、前記第２の装置が前記第１の装置の近傍内にあるならば接続を確立する、請求項７に記載のコンピュータ読み取り可能媒体。
【請求項１２】
前記無線宣伝メッセージが８０２．１１ビーコン・メッセージを含む、請求項７に記載の方法。
【請求項１３】
コンピュータ読み取り可能媒体であって、
第１の装置に対して、該第１の装置の近傍にある第２の装置により、複数のサービス情報要素を含む第１の８０２．１１ｘレイヤ２無線宣伝メッセージを送出するステップであって、前記サービス情報要素のうちの少なくとも第１のサービス情報要素は、前記第２の装置によって提供される第１のサービスに関係する情報を含み、前記サービス情報要素のうちの第２のサービス情報要素は、前記第２の装置によって提供される第２のサービスに関係する情報を含み、前記第１のサービスと前記第２のサービスは相違し、前記第１のサービス情報要素と前記第２のサービス情報要素とのうちの少なくとも一部は短縮され、前記第１のメッセージが、前記第１の装置と、前記第１のサービス及び前記第２のサービスを提供するのに適した前記第２の装置との間に接続を確立する前に送出されるステップと、
受信された前記宣伝メッセージから、少なくとも、短縮された前記第１のサービス情報要素と前記第２のサービス情報要素とを、前記第１の装置によって抽出するステップと、
前記第１のサービスに関係する追加の情報が必要であることを前記第１の装置によって決定するステップと、
前記第１のサービスに関係する追加の情報に対する要求メッセージを前記第２の装置によって受信するステップと、
前記第１のサービスに関係する追加の情報を含む第２のメッセージを、前記第２の装置によって前記第１の装置に対して送出するステップと、
前記第１のサービスが所望のものであるかどうかを前記第１の装置によって決定するステップと、
前記第１のサービスが所望のものであるならば、前記第１の装置と前記第２の装置との間の接続を確立するステップと、
を実行するためのコンピュータ実行可能命令を記憶したコンピュータ読み取り可能媒体。
【請求項１４】
前記無線宣伝メッセージが、前記前記第２の装置と通信する装置によって送出される、請求項１３に記載のコンピュータ読み取り可能媒体。
【請求項１５】
前記無線宣伝メッセージが８０２．１１ｘビーコン・メッセージの少なくとも一部として送出される、請求項１３に記載のコンピュータ読み取り可能媒体。
【請求項１６】
前記第１の装置の近傍が、該第１の装置の無線距離によって少なくとも部分的に規定される、請求項１３に記載のコンピュータ読み取り可能媒体。
【請求項１７】
前記第１のサービス情報要素の一部がハッシュ処理される、請求項１３に記載のコンピュータ読み取り可能媒体。
【請求項１８】
前記第１の装置からの要求に応答して、前記第１のメッセージが前記第１の装置へ送出される、請求項１７に記載のコンピュータ読み取り可能媒体。
【請求項１９】
前記第１の無線メッセージが宣伝メッセージである、請求項１７に記載のコンピュータ読み取り可能媒体。
【請求項２０】
１つ又は複数の前記サービス情報要素がシーケンス番号を含み、該シーケンス番号が、前記第２の装置によって提供されるサービスの変化を反映する、請求項１に記載の方法。